(57)【要約】【課題】ＦＡＸ送信時に代行が発生した場合に、送信元データも代行ＦＡＸへ送り、代行ＦＡＸが成り代わってＦＡＸ送信する事で、受信側は送信元を通常通りに判定できる。【解決手段】代行送信時に送信元データを代行ＦＡＸへ送る手段、代行送信を依頼されたＦＡＸが代行依頼元ＦＡＸから受け取った送信元情報を自機の送信元情報と差し替える手段ならびに通信管理情報を代行送信依頼元ＦＡＸへ返す手段、返された通信管理情報を自機の通信管理情報として更新する手段を設ける。【選択図】        図１
2004186959.tif 000002
【特許請求の範囲】
【請求項１】
ネットワーク接続されてお互いに情報交換できる機能を備えたＦＡＸにおいて
代行送信時に本来の送信元ＦＡＸ情報を代行するＦＡＸへ送る手段を設け
代行送信ＦＡＸの送信元情報と交換する手段を設け、
代行送信時に本来の送信元情報を設定して代行送信を行う事を特徴とするＦＡＸ代行送信方式。
【請求項２】
予め送信元情報を切り替える手段を設け、代行送信を依頼された場合は代行ＦＡＸの情報に
代えて依頼元ＦＡＸの情報を画像ヘッダに付加する、或いは、依頼元と代行の双方の情報を
付加する、或いは、依頼された場合であっても代行ＦＡＸの情報を付加する事を切り替える事を特徴とする請求項１のＦＡＸ代行送信方式。
【請求項３】
予め送信元情報を切り替える手段を設け、代行送信を依頼された場合は代行ＦＡＸの情報に
代えて依頼元ＦＡＸの情報から電話番号をＴＳＩに載せる、或いは、
依頼元と代行の双方の情報を付加する、或いは、依頼された場合であっても
代行ＦＡＸの情報を付加する事を切り替える事を特徴とする請求項１のＦＡＸ代行送信方式。
【発明の詳細な説明】
【０００１】
【発明の属する技術分野】
ＦＡＸ送信の代行に関するものである。
【０００２】
【従来の技術】
ネットワークで繋がられたＦＡＸで送信しようとしたＦＡＸが送受信中で使用できない場合に他のＦＡＸで代行送信している。
【０００３】
【発明が解決しようとする課題】
しかしながら代行送信した場合には送信元ＦＡＸ情報が代行送信したＦＡＸのものとなるために、受信側では送信された原稿内容を見なければ、送り元が分からなかった。
【０００４】
【課題を解決するための手段】
上記目的を達成するため、本出願に係る第１の発明は、代行送信する場合にＦＡＸ原稿データを代行するＦＡＸへ送る他に、送信元データとしてＦＡＸ番号／名称などを代行ＦＡＸに通知して、代行ＦＡＸが依頼元のＦＡＸに成り代わってＦＡＸ送信する。
【０００５】
【発明の実施の形態】
（実施形態１）
図１は本発明の第１の実施形態におけるＦＡＸ装置の構成図である。
【０００６】
１はローカルエリアネットワークＬＡＮであり、２はネットワークインタフェースカードであり、他のＦＡＸ装置との情報交換機能を備える。３は公衆回線網、４はモデムであり公衆回線網を通じて、ＦＡＸ送受信を行う。５はハードディスク装置であり、送受信原稿の蓄積等に使われる。６は受信原稿を印刷する為のプリンタ。７は各種動作を指示する為の操作パネルでありＦＡＸ送信元電話番号、名称を入れる際に使われる。
【０００７】
８は７の操作パネルでの指示を表示すると共にＦＡＸ装置の状態等を表示する為に使われるＬＣＤパネルディスプレイ。９は送信原稿を読み取る為のスキャナ、１０はＲＯＭでありＦＡＸ装置を制御するプログラムが格納されている。１１はＲＡＭで送受信原稿の符号化、復号化その他の作業領域として使われる。また、操作パネル７から入力されたＦＡＸ送信元電話番号、名称を記憶保持する。１２はマイクロプロセッサでありＲＯＭ１０に格納されたプログラムに従いＦＡＸ装置を制御する。
【０００８】
図２は送信時の動作を表す流れ図である。ステップ２０１でスキャナ９に送信原稿をセットして操作パネル７で宛先ＦＡＸ番号を入力しスタートボタンを押す。
【０００９】
ステップ２０２で自機が送信中であるかを判断し、送信中でなければステップ２０３へ進み通常の送信動作を行う。送信中であった場合にはステップ２０４へ進み、ＲＡＭ１１に保持されている送信元情報を読み出し、予め代行送信ＦＡＸとして登録してある
ＬＡＮ接続された近隣のＦＡＸへ送信元情報をＮＩＣ２より送る。次にステップ２０５でステップ２０１の送信操作で読み込まれハードディスク装置５に蓄積されている送信原稿をＬＡＮ接続された代行送信ＦＡＸへＮＩＣ２より送る。
【００１０】
図３は代行送信ＦＡＸの動作を表す流れ図である。図２の流れ図の動作に従って代行送信ＦＡＸに送られた送信元情報がステップ３０１で受信される。
【００１１】
予め設定されている代行送信ヘッダの選択に従い、３通りの処理の分岐が行われる。
【００１２】
ステップ３０２は代行送信依頼元ＦＡＸの送信元情報へヘッダを設定する場合でありステップ３０５ではステップ３０１で受信した代行送信依頼元の送信元データよりヘッダを生成する。ステップ３０３は代行送信でも通常送信と同じく自機の送信元情報を設定する場合であり、ステップ３０６で通常送信と同じヘッダが生成される。ステップ３０４は代行送信依頼元ＦＡＸの送信元情報と代行送信ＦＡＸの送信元情報の両者をヘッダに載せる選択をした場合であり、ステップ３０７ではステップ３０１で得られる代行送信依頼元の送信元情報と自機の送信元情報を使ってヘッダを生成する。以上のステップで生成されたヘッダを原稿画像に付加してステップ３０８で原稿送信が行われる。送信後はステップ３０９で通信管理レポートが作成され、代行送信依頼元ＦＡＸへＮＩＣ２を使ってＬＡＮ１経由で送られる。
【００１３】
図４は代行送信完了後の代行依頼元ＦＡＸの動作を表す流れ図である。
【００１４】
ステップ４０１で代行送信ＦＡＸから通信管理レポートをＬＡＮ１経由で受信するとその情報を使い、ステップ４０２で自機の通信管理レポートを更新する。
【００１５】
（実施形態２）
実施形態１では代行送信される原稿ヘッダを予め設定された選択で変更したがＴＳＩに載せる電話番号を変更する場合も、図３と同様の流れ図で実現できる。
【００１６】
【発明の効果】
以上説明したように、本出願に係る第１の発明によれば、代行送信する場合にＦＡＸ原稿データを代行するＦＡＸへ送る他に、送信元データとしてＦＡＸ番号／名称などを代行ＦＡＸに通知して、代行ＦＡＸが依頼元のＦＡＸに成り代わってＦＡＸ送信する事により、代行送信された場合においてもヘッダ情報などの送信元情報から送信元を知る事が可能となる。このため、送信原稿に送信元を追記する事もなくなるし、代行送信を意識する事無く、常に同じ操作で送信できる。
【図面の簡単な説明】
【図１】第１の実施形態におけるＦＡＸ装置の構成図。
【図２】送信時の動作を表す流れ図。
【図３】代行送信ＦＡＸの動作を表す流れ図。
【図４】代行送信完了後の代行依頼元ＦＡＸの動作を表す流れ図。
【符号の説明】
１  ローカルエリアネットワークＬＡＮ
２  ネットワークインタフェースカードＮＩＣ
３  公衆回線網
４  モデム
５  ハードディスク装置
６  プリンタ
７  操作パネル
８  液晶表示ディスプレイＬＣＤ
９  スキャナ
１０  ＲＯＭ
１１  ＲＡＭ
１２  マイクロプロセッサＭＰＵ
【図１】
2004186959.tif 000003
【図２】
2004186959.tif 000004
【図３】
2004186959.tif 000005
【図４】
2004186959.tif 000006